(57)【要約】【課題】  構造が比較的簡単で耐久性に優れ、ハンドルを分離させずに収納することができ、しかも、巻取り時にハンドルをしっかり固定できて巻取り操作がし易く、さらに、ハンドルの向きを変える際にも他の工具を使用する必要がないようにする。【解決手段】  巻取りドラム３７の回転中心となるハンドル取付軸４０の先端部に、巻取り方向と同方向の雄ねじ６０を形成し、そこにハンドル取付部材４１のねじ穴６２を螺合させる。ハンドル取付部材４１のハンドル挿入孔６３に、ハンドル４２の挿入部６５を挿入し、平坦面６７をハンドル取付軸４０の先端面４０ａに向けた状態で、ハンドル取付部材４１を締め付けることで、ハンドル４２を巻取り位置に固定する。ハンドル４２を収納する場合には、ハンドル４２によりハンドル取付部材４１を緩めて、ハンドル４２を９０度回転させた後、ハンドル取付部材４１を再度締め付ける。【選択図】  図１
2005067860.tif 000002
【特許請求の範囲】
【請求項１】
長尺な線条部材を巻き取るための巻取りドラムの回転中心に当該巻取りドラムと一体に回転するように設けられ、先端部外周部に前記巻取りドラムの巻取り方向と同方向の雄ねじを有するハンドル取付軸と、
内周部に前記雄ねじに螺合する雌ねじが形成されたねじ穴を有すると共に、このねじ穴に対して直交しかつ当該ねじ穴に連通するように設けられたハンドル挿入孔を有したハンドル取付部材と、
一端部に前記ハンドル挿入孔に回動可能に挿入され外周面に平坦面が形成された挿入部を有すると共に、他端部に握り部を有し、前記挿入部の平坦面を前記ハンドル取付軸の先端面に向けた状態で前記握り部が前記ハンドル取付軸の軸方向の外側に突出する形態とされるハンドルとを備え、
前記ハンドルにて前記ハンドル取付部材を前記雌ねじの螺進方向へ回転させて締め付けることにより、前記挿入部の平坦面またはその平坦面以外の外周面を前記ハンドル取付軸の先端面に当てた状態で、前記挿入部を前記ハンドル取付軸と前記ハンドル取付部材との間で締め付け固定可能な構造としたことを特徴とする巻取り装置のハンドル取付構造。
【請求項２】
ハンドルの一端部に、ハンドル挿入孔に対して挿入部の抜け止めをする抜止め部を設けたことを特徴とする請求項１記載の巻取り装置のハンドル取付構造。
【発明の詳細な説明】
【技術分野】
【０００１】
本発明は、巻取りドラムを回転させて当該巻取りドラムに長尺な線条部材を巻き取る構成とした巻取り装置において、巻取りドラムを回転させるためのハンドルの取付構造に関する。
【背景技術】
【０００２】
長尺な線条部材例えばホースを巻き取るホース巻取り装置においては、巻取りドラムが支持フレームに回転自在に設けられていると共に、巻取りドラムの回転中心となるハンドル取付軸にハンドルが取り付けられていて、そのハンドルの握り部を握って巻取りドラムを巻取り方向へ回転させることにより、ホースが巻取りドラムに巻き取られる構成となっている。
【０００３】
上記巻取りドラムを回転させるためのハンドルの取付構造としては、従来より種々の構造のものが採用されている。その具体例を図１４ないし図１７に示す。
（１）図１４に示す第１の従来構造のものは、次のような構造となっている。ハンドル取付軸１は、図示しない巻取りドラムの回転中心に当該巻取りドラムと一体に回転するように設けられていて、その先端部に、ハンドル２におけるハンドルアーム３の一端部が連結されている。ハンドルアーム３の他端部には、ヒンジ軸４ａにて連結された起倒可能部材４が設けられていると共に、この起倒可能部材４の外側に筒状の握り部５が嵌合されていて、この握り部５と起倒可能部材４との間に圧縮コイルばね６が設けられている。
【０００４】
図１４の（ａ）は、ハンドル２の握り部５を巻取り位置に起立させた状態を示している。この状態では、握り部５及び起倒可能部材４がハンドル取付軸１の軸方向の外側（右側方）へ突出していて、握り部５により起倒可能部材４が倒れることを規制している。巻取りドラムを巻取り方向へ回転させる場合には、この状態で行う。
（ａ）の状態から握り部５を、圧縮コイルばね６のばね力に抗して矢印Ｃ１方向へ引っ張り、握り部５の端部がヒンジ軸４ａを矢印Ｃ１方向へ超えた状態で、握り部５を矢印Ｃ２方向へ倒すと、（ｂ）に示すように起倒可能部材４がヒンジ軸４ａを支点に倒れるようになり、握り部５及び起倒可能部材４が倒れた収納位置に保持されるようになる。この状態では、握り部５及び起倒可能部材４がハンドルアーム３の延び方向に沿った状態となり、右側方への突出量が抑えられる。
【０００５】
（２）図１５に示す第２の従来構造のものは、次のような構造となっている。ハンドル取付軸１に、収容穴７及び挿入孔８を直交するように形成している。このうち収容穴７に、圧縮コイルばね９ａ及び鋼球９ｂを収容し、挿入孔８に、Ｌ字状をなすハンドル１０におけるハンドルアーム１１の一端部を挿入している。ハンドルアーム１１の一端部には、球面状の凹部１２が形成されていて、その凹部１２に上記鋼球９ｂが入り込むことにより、ハンドル１０は、（ａ）に示す巻取り位置に保持される。この状態で、ハンドルアーム１１の他端部の握り部１３がハンドル取付軸１の軸方向外側（右側方）へ突出している。
【０００６】
（ａ）の状態からハンドル１０を軸回り方向へ９０度回転させ、（ｂ）に示すように鋼球９ａが凹部１２から外れた外周面に当たることで、ハンドル１０は、握り部１３がハンドル取付軸１の軸方向と直交する向きとされた収納位置に保持される。この状態では、ハンドル１０の右側方への突出量が抑えられる。
（３）図１６に示す第３の従来構造のものは、次のような構造となっている。ハンドル取付軸１の先端部に、軸方向へ延びるねじ穴１４を形成する。このねじ穴１４の内周部には、巻取りドラムの巻取り方向と同方向である右ねじ方向の雌ねじ１４ａを形成している。クランク状をなすハンドル１５におけるハンドルアーム１６の一端部には、上記雌ねじ１４ａに螺合する雄ねじ１７を形成していて、その雄ねじ１７を雌ねじ１４ａに螺合させることにより、ハンドル１５をハンドル取付軸１に着脱可能に取り付けている。この取付状態で、ハンドルアーム１６の他端部に設けられた握り部１３がハンドル取付軸１の軸方向外側（右側方）へ突出している。なお、ハンドル１５を収納する場合には、ハンドル１５を緩み方向である左方向に回転させて雄ねじ１７を雌ねじ１４ａから外し、ハンドル１５をハンドル取付軸１から分離させておく。
【０００７】
（４）図１７に示す第４の従来構造のものは、次のような構造となっている。ハンドル取付軸１には、挿入孔１８とねじ穴１９とを直交するように形成している。このうち挿入孔１８に、Ｌ字状をなすハンドル２０におけるハンドルアーム２１の一端部を挿入している。ハンドルアーム２１の一端部の外周面には、平坦面２１ａを形成している。ねじ穴１９にはねじ２２が螺合されていて、このねじ２２を締め付けることにより、ハンドルアーム２１の一端部を締め付け固定可能な構造となっている。
【０００８】
図１７の（ｂ）の状態では、ハンドル２０は、平坦面２１ａをねじ２２側に向けた状態で、そのねじ２２により締め付け固定されている。この状態では、ハンドル２０の握り部１３が、ハンドル取付軸１の軸方向の外側（図１７（ｂ）では手前側）に突出している。巻取りドラムを巻取り方向へ回転させる場合には、この状態で行う。
ハンドル２０を収納位置へ収納する場合には、ねじ２２を一旦緩めた後、ハンドル２０を軸回り方向へ９０度回転させ、（ａ）に示すように平坦面２１ａがねじ２２と対応しない位置に位置させ、この状態でねじ２２を締め付ける。これにより、ハンドル２０は、握り部１３が軸方向外側へ突出させない収納位置に固定される。
【発明の開示】
【発明が解決しようとする課題】
【０００９】
上記した従来構造のものでは次のような欠点がある。
図１４に示した第１の従来構造のものでは、握り部５部分を折り畳むためにヒンジ機構を用いているため、折り畳み動作による耐久性が問題となると共に、ヒンジ機構や圧縮コイルばね６を必要としているため、構造が比較的複雑であり、製造コストが高くなるという欠点がある。
【００１０】
図１５に示した第２の従来構造のものでは、ハンドル１０の向きを変えるについては操作性は良いが、巻取り操作する際に、凹部１２とこれに嵌合した鋼球９ｂとの間での遊びやがたつきが多く、巻取り操作がし難いという欠点がある。
図１６に示した第３の従来構造のものでは、構造が簡素であり、また、ハンドル１５の締め付け方向と巻取り方向が同じ方向であるため、巻取り操作時にがたつきがなく巻き取り操作は行い易いが、ハンドル１５は分離式であるため、収納時に分離したハンドル１５を紛失し易いという欠点がある。
【００１１】
図１７に示した第４の従来構造のものでは、ねじ２２によりハンドル２０を横方向から締め付ける構造のため、巻取り操作時にねじ２２が緩み易く、また、ねじ２２を緩めたり、締め付けたりする際にドライバーなどの工具を必要とする欠点がある。
本発明は上記した事情に鑑みてなされたものであり、その目的は、構造が比較的簡単で耐久性に優れ、ハンドルを分離させずに収納することができ、しかも、巻取り時にハンドルをしっかり固定できて巻取り操作がし易く、さらに、ハンドルの向きを変える際にも他の工具を使用する必要がない、巻取り装置のハンドル取付構造を提供することにある。
【課題を解決するための手段】
【００１２】
上記の目的を達成するために、本発明の巻取り装置のハンドル取付構造は、長尺な線条部材を巻き取るための巻取りドラムの回転中心に当該巻取りドラムと一体に回転するように設けられ、先端部外周部に前記巻取りドラムの巻取り方向と同方向の雄ねじを有するハンドル取付軸と、
内周部に前記雄ねじに螺合する雌ねじが形成されたねじ穴を有すると共に、このねじ穴に対して直交しかつ当該ねじ穴に連通するように設けられたハンドル挿入孔を有したハンドル取付部材と、
一端部に前記ハンドル挿入孔に回動可能に挿入され外周面に平坦面が形成された挿入部を有すると共に、他端部に握り部を有し、前記挿入部の平坦面を前記ハンドル取付軸の先端面に向けた状態で前記握り部が前記ハンドル取付軸の軸方向の外側に突出する形態とされるハンドルとを備え、
前記ハンドルにて前記ハンドル取付部材を前記雌ねじの螺進方向へ回転させて締め付けることにより、前記挿入部の平坦面またはその平坦面以外の外周面を前記ハンドル取付軸の先端面に当てた状態で、前記挿入部を前記ハンドル取付軸と前記ハンドル取付部材との間で締め付け固定可能な構造としたことを特徴とする。
【００１３】
上記構成において、ハンドルを巻取り位置に位置させる場合には、ハンドルにおける挿入部の平坦面をハンドル取付軸の先端面に向けた状態で、ハンドルにてハンドル取付部材を巻取り方向と同方向へ回転させてハンドル取付軸に締め付ける。これにより、ハンドルの挿入部がハンドル取付軸とハンドル取付部材との間で締め付け固定され、ハンドルは、握り部がハンドル取付軸の軸方向の外側に突出する形態で固定される。
【００１４】
また、ハンドルを収納する場合には、ハンドルにてハンドル取付部材を巻取り方向とは反対方向へ回転させて緩めた後、ハンドルを例えば９０度回転させて挿入部の平坦面がハンドル取付軸の先端面と対向しないようにする。これにより、ハンドルは、握り部が巻取りドラムの側面に沿った形態となる。そして、ハンドルにてハンドル取付部材を巻取り方向へ回転させてハンドル取付軸に締め付ける。これにより、ハンドルの挿入部がハンドル取付軸とハンドル取付部材との間で締め付け固定され、ハンドルは、握り部が収納された形態で固定される。
【００１５】
この場合、ハンドルの一端部に、ハンドル挿入孔に対して挿入部の抜け止めをする抜止め部を設けることが好ましい（請求項２の発明）。
【発明の効果】
【００１６】
本発明においては、ハンドル取付軸と、このハンドル取付軸に螺合されるハンドル取付部材と、このハンドル取付部材を回転させるハンドルとから構成されるものであるから、ヒンジ機構を用いるものとは違い、構造は比較的簡単で耐久性にも優れ、製造コストも抑えることができる。また、ハンドル取付部材の締め付け方向は巻取り方向と同方向であるから、巻取り操作時にハンドルをしっかりと固定することができ、巻取り操作がし易い。さらに、ハンドルは、収納時にもハンドル取付軸とハンドル取付部材との間に締め付けることができるので、分離せずに収納することができる。しかも、ハンドル取付部材は、ハンドルにより締め付けたり、緩めたりすることができるので、他の工具を使用する必要もない。
【００１７】
請求項２の発明によれば、ハンドル取付部材の締め付けを緩め、ハンドルの締め付けを緩めた状態でも、ハンドルはハンドル取付部材の挿入孔から抜けることが防止されるため、ハンドルがハンドル取付部材から分離されることを防止できる。
【発明を実施するための最良の形態】
【００１８】
以下、本発明をホース巻取り装置に適用した一実施形態について図１ないし図１３を参照して説明する。まず、図９には、本発明の巻取り装置３１の概略構成の斜視図が示されている。この図９において、支持フレーム３２は、対向する２本の側部フレーム３３，３４を複数本の連結棒３５を介して連結すると共に、各側部フレーム３３，３４に軸受板３６を設けて構成されている。側部フレーム３３，３４は、それぞれパイプを矩形枠状に曲げた構成となっていて、これら側部フレーム３３，３４間に、巻取りドラム３７が配置されている。
【００１９】
巻取りドラム３７は、円筒状をなすドラム（図示せず）の両端部に円盤状をなす端板３８，３９を連結して構成されていて、左側の端板３８の回転中心に設けられた図示しないドラム軸が左側の軸受板３６に回転自在に支持されていると共に、右側の端板３９の回転中心に設けられたドラム軸を兼ねるハンドル取付軸４０が右側の軸受板３６に回転自在に支持されている。ハンドル取付軸４０は、図１に示すように、端板３９に溶接などにより一体に回転するように取り付けられている。ハンドル取付軸４０の右側端部にはハンドル取付部材４１が設けられていて、このハンドル取付部材４１にハンドル４２が取り付けられている。このハンドル４２の取付構造については、後で詳細に述べる。このハンドル４２の握り部４３を持って巻取りドラム３７を巻取り方向である矢印Ａ１方向へ回転させることにより、線条部材である例えばホース４４が巻取りドラム３７の外周部に巻き取られる構成となっている。
【００２０】
支持フレーム３２の前部（図９において左側）の上部に、上記ホース４４を整列巻きするためのトラバース機構４５が設けられている。このトラバース機構４５のトラバース軸４６は、巻取りドラム３７におけるハンドル取付軸４０と平行になる形態で、左右の側部フレーム３３，３４間にねじ４７により固定状態（非回転状態）に取り付けられている。このトラバース軸４６の外周部には、トラバース用の無端螺旋溝４８が形成されている。この無端螺旋溝４８は、右ねじ方向の螺旋溝と左ねじ方向の螺旋溝とを交差させると共に、両螺旋溝の端部同士を接続した形態となっている。
【００２１】
ガイドローラ４９は、中央部に形成された嵌合孔５０をトラバース軸４６の外周部に嵌合させることによって、トラバース軸４６の外周部に回転可能に設けられている。ガイドローラ４９の外周部には、上記ホース４４を受ける溝５１が形成されている。また、このガイドローラ４９の１箇所には、図１０及び図１１に示すように半径方向に延びる取付穴５２が形成されていて、この取付穴５２の嵌合孔５０側に、ガイドピース５３が遊嵌状態に取り付けられている。ガイドピース５３は先端部に挿入片５３ａを有していて、この挿入片５３ａが、上記無端螺旋溝４８に移動可能に挿入されている。また、取付穴５２にはムシねじ５４がねじ込まれていて、このムシねじ５４により、ガイドピース５３の外周部方向（溝５１側）への移動が規制されている。
【００２２】
支持フレーム３２の前部の上部には、上記トラバース軸４６の上方近傍に位置させて、補助軸５５が配置されている。この補助軸５５は、トラバース軸４６と平行になる形態で、左右の側部フレーム３３，３４間に固定状態に取り付けられている。補助ローラ５６は、中央部に形成された嵌合孔５７を補助軸５５の外周部に嵌合させることによって、補助軸５５の外周部に回転可能で、かつ軸方向にスライド可能に設けられている。補助ローラ５６の外周部にも、上記ホース４４を受ける溝５８が形成されている。従って、ホース４４は、ガイドローラ４９の溝５１と、これと対向する補助ローラ５６の溝５８との間にはさまれる状態で挿通されている。
【００２３】
次に、上記ハンドル４２の取付構造について説明する。ハンドル取付軸４０の先端部は、図１に示すように基端部よりも径小となるように形成されていて、その外周部に雄ねじ６０が形成されている。この雄ねじ６０は、巻取りドラム３７の巻取り方向（矢印Ａ１方向）と同方向である右ねじ方向となっている。
ハンドル取付部材４１は、図１３に示すように、内周部に上記雄ねじ６０に螺合する雌ねじ６１が形成されたねじ穴６２を有すると共に、このねじ穴６２に対して直交しかつ当該ねじ穴６２に連通するように設けられたハンドル挿入孔６３を有していて、ねじ穴６２の雌ねじ６１をハンドル取付軸４０の雄ねじ６０に螺合させることによりハンドル取付軸４０の先端部に取り付けられている。
【００２４】
ハンドル４２におけるハンドルアーム６４は、図１２にも示すように、一端部に上記ハンドル挿入孔６３に挿入される挿入部６５を有すると共に、他端部にその挿入部６５に対して直交する方向へ突出する握り部取付部６６を有していて、挿入部６５がハンドル挿入孔６３に貫通状態に挿入され、握り部取付部６６に握り部４３が回転自在に取り付けられている。挿入部６５には、外周面の１箇所に平坦面６７が形成されている。この場合、平坦面６７の向きと、握り部取付部６６の突出方向とは反対方向となっている。また、挿入部６５には、平坦面６７を挟む軸方向の２箇所にビス取付部６８が形成されていると共に、これらビス取付部６８に抜止め部を構成するビス６９（図１参照）が取り付けられていて、これらビス６８により、ハンドル挿入孔６３に対する挿入部６５の抜止めをしている。この場合、抜止め部としては、ビス６９に限られず、リベットやピンなどであっても良い。
【００２５】
図１及び図２は、ハンドル４２を巻取り位置に位置させた状態が示されている。この状態では、挿入部６５の平坦面６７をハンドル取付軸４０の先端面４０ａに向けた状態で、ハンドル４２にてハンドル取付部材４１を巻取り方向（雌ねじ６１の螺進方向）である図９の矢印Ａ１方向へ回転させ（このとき巻取りドラム３７は回転しないようにしておく）、ねじ穴６２の雌ねじ６１をハンドル取付軸４０の雄ねじ６０に締め付けることにより、挿入部６５がハンドル取付軸４０の先端部とハンドル取付部材４１との間で締め付け固定され、ハンドル４２は、握り部４３がハンドル取付軸４０の軸方向の外側に突出する形態でハンドル取付軸４０に取付固定されている。このとき、ハンドル取付軸４０の先端面４０ａに挿入部６５の平坦面６７が圧接していて、挿入部６５ひいてはハンドル４２の軸回り方向の回転が阻止されている。
【００２６】
次に、上記構成の作用を説明する。
使用者がハンドル４２の握り部４３を持って巻取りドラム３７を巻取り方向である矢印Ａ１方向へ回転させると、ホース４４が巻取りドラム３７の外周部に巻き取られる。このとき、巻取り方向である矢印Ａ１方向と、ハンドル取付部材４１の締め付け方向とが同じ右回転方向（時計回り方向）であるから、この巻取り時にハンドル取付部材４１が緩むことがなく、巻き取り易い。また、ホース４４が巻取りドラム３７に巻き取られて巻取りドラム３７側（図９及び図１０の矢印Ａ２方向）へ移動することに伴い、ガイドローラ４９及び補助ローラ５６がそのホース４４との摩擦により矢印Ａ３方向及び矢印Ａ４方向へ回転する。
【００２７】
このうち、ガイドローラ４９が矢印Ａ３方向へ回転することに伴い、ガイドピース５３の挿入片５３ａがトラバース軸４６の無端螺旋溝４８に沿って移動しながら、ガイドローラ４９がトラバース軸４６の軸方向に沿って矢印Ａ５方向または矢印Ａ６方向へ移動する。このとき、ガイドピース５３の挿入片５３ａが挿入されている無端螺旋溝４８の向きによってガイドローラ４９の移動方向が異なる。ガイドローラ４９が、矢印Ａ３方向へ回転しながら例えば矢印Ａ５方向へ移動すると、当該ガイドローラ４９の溝５１に挿通されたホース４４も、補助ローラ５６と共に同矢印Ａ５方向へ移動する。また、ガイドピース５３の挿入片５３ａが無端螺旋溝４８の左端まで移動すると、ガイドローラ４９の移動方向が反転し、ガイドローラ４９は矢印Ａ６方向へ移動するようになる。ガイドローラ４９が矢印Ａ６方向へ移動するようになると、ホース４４も補助ローラ５６と共に同矢印Ａ６方向へ移動するようになる。
【００２８】
このようにして、ホース４４が巻取りドラム３７に巻き取られることに伴い、ガイドローラ４９及び補助ローラ５６が回転しながらトラバース軸４６の軸方向に沿って往復移動するようになり、これらガイドローラ４９と補助ローラ５６との間に挿通されたホース４４もトラバース軸４６の軸方向に沿って往復移動するようになる。これにより、ホース４４が巻取りドラム３７の外周部に整列状態に巻き取られるようになる。
【００２９】
また、使用者がホース４４を矢印Ａ２とは反対方向へ引き出した場合には、ガイドローラ４９及び補助ローラ５６がそのホース４４との摩擦により矢印Ａ３とは反対方向及び矢印Ａ４とは反対方向へ回転しながら、ガイドローラ４９がトラバース軸４６の軸方向に沿って矢印Ａ５方向または矢印Ａ６方向へ移動する。このときも、ガイドピース５３の挿入片５３ａが挿入されている無端螺旋溝４８の向きによって移動方向が異なる。
【００３０】
ところで、ホース４４の先端部には、ホース４４より径大なノズルなどの機能部品が取り付けられることが多い。その機能部品を取り付けた状態で、上記ガイドローラ４９と補助ローラ５６との間に挿通されたホース４４を外したり、それらの間にホース４４を挿通したりする場合には次のようにする。
すなわち、ガイドローラ４９と補助ローラ５６との間に挿通されたホース４４を外す場合には、図１０に二点鎖線で示すように、ガイドローラ４９の後部側においてホース４４を押し下げながら、補助ローラ５６をガイドローラ４９と対応する位置から補助軸５５に沿って横方向へスライドさせる。すると、ガイドローラ１９の上方が空間となり、ガイドローラ４９からホース４４を容易に外すことができる。
【００３１】
また、ホース４４をガイドローラ４９と補助ローラ５６との間に挿通する場合には、補助ローラ５６を、ガイドローラ４９と対応する位置から軸方向へずれた位置へ移動させておき、この状態で、ホース４４をガイドローラ４９の溝５１に上方から沿わせる。この後、補助ローラ５６をガイドローラ４９と対応する位置に移動させ、この補助ローラ５６とガイドローラ４９とによりホース４４を挟み込むようにする。これにより、ホース４４の先端部に機能部品が取り付けられている場合でも、ガイドローラ４９と補助ローラ５６との間に容易に挿通させることができる。
【００３２】
一方、巻取り位置に固定されたハンドル４２を収納する場合には、次のようにする。まず、巻取りドラム３７をこれが回転しないように保持した状態で、ハンドル４２にてハンドル取付部材４１を矢印Ａ１とは反対方向へ回転させる。これにより、ハンドル取付軸４０の雄ねじ６０に対してハンドル取付部材４１の雌ねじ６１が緩み、図３に示すように、ハンドル取付部材４１が矢印Ａ７方向へ後退するようになる。すると、ハンドル取付軸４０の先端部とハンドル取付部材４１とによる挿入部６５の締め付けが緩み、ハンドルアーム６４における挿入部６５の平坦面６７とハンドル取付軸４０の先端面４０ａとの間に隙間７０（図３参照）が形成されるようになり、ハンドルアーム６４の挿入部６５ひいてはハンドル４２の軸回り方向への回動が可能になる。このとき、ハンドル４２は、抜止め用のビス６９によりハンドル挿入孔６３から抜け落ちることが防止される。
【００３３】
この後、ハンドル４２を軸回り方向へ約９０度回動させ、図５及び図６に示すように、握り部４３の側面が巻取りドラム３７の端板３９の側面に沿うようにする。このとき、挿入部６５の平坦面６７は、ハンドル取付軸４０の先端面４０ａに対して９０度ずれた方向に向いている。この後、ハンドル４２にてハンドル取付部材４１を矢印Ａ１方向へ回転させてハンドル取付軸４０に締め付ける。これにより、図７及び図８に示すように、ハンドル取付部材４１が前進し、挿入部６５における平坦面６７からずれた外周面がハンドル取付軸４０の先端面４０ａに対向した状態で、挿入部６５がハンドル取付軸４０の先端面４０ａとハンドル取付部材４１との間で締め付け固定されるようになる。従って、ハンドル４２が収納位置に固定されるようになる（図９の二点鎖線参照）。
【００３４】
上記した実施形態によれば、次のような効果を得ることができる。すなわち、ハンドル４２の取付構造としては、ハンドル取付軸４０と、このハンドル取付軸４０の先端部に螺合されるハンドル取付部材４１と、このハンドル取付部材４１を回転させるハンドル４２とから構成されるものであるから、ヒンジ機構を用いるものとは違い、構造は比較的簡単で耐久性にも優れ、製造コストも抑えることができる。また、ハンドル取付部材４１の締め付け方向は巻取り方向と同方向（矢印Ａ１方向）であるから、巻取り操作時にハンドル４２をしっかりと固定することができ、巻取り操作がし易い。さらに、ハンドル４２は、収納時にもハンドル取付軸４０とハンドル取付部材４１との間に締め付けることができるので、分離せずに収納することができる。しかも、ハンドル取付部材４１は、ハンドル４２により締め付けたり、緩めたりすることができるので、他の工具を使用する必要もない。
【００３５】
また、ハンドル４２の挿入部６５には抜止め用のビス６９を取り付けているので、ハンドル４２がハンドル取付部材４１から抜け落ちることがなく、そのハンドル４２が紛失することを防止できる。
さらには、ハンドル４２により巻取りドラム３７を巻取り方向に回転させることで、ホース４４を巻取りドラム３７にトラバース機構４５により自動的に整列巻きすることができる。しかもこの場合、ホース４４との摩擦により回転するガイドローラ４９の回転を利用するようにしているので、トラバース軸を回転させるものとは違い、ドラム軸とトラバース軸との間に、ドラム軸の回転をトラバース軸に伝達する回転伝達機構を設ける必要がなく、簡単な構成で整列巻きすることができる。
【００３６】
本発明は、上記した実施形態にのみ限定されるものではなく、次のように変形または拡張できる。巻取り装置としては、ホース用に限られず、電気コード用、或いはロープ用であっても良い。
【図面の簡単な説明】
【００３７】
【図１】本発明の一実施形態を示すもので、ハンドルを巻取り位置に位置させた状態における要部の破断正面図
【図２】（ａ）は図１の状態における要部の破断右側面図、（ｂ）は同状態における要部の横断平面図
【図３】ハンドル取付部材の締め付けを緩めた状態における要部の破断正面図
【図４】図３の状態における要部の破断右側面図
【図５】ハンドルの向きを収納位置に変えた状態における要部の破断正面図
【図６】（ａ）は図５の状態における要部の破断右側面図、（ｂ）は同状態における要部の横断平面図
【図７】図５の状態からハンドル取付部材を締め付けた状態における要部の破断正面図
【図８】（ａ）は図７の状態における要部の破断右側面図、（ｂ）は同状態における要部の横断平面図
【図９】巻取り装置全体の外観斜視図
【図１０】トラバース機構の縦断右側面図
【図１１】トラバース機構の破断正面図
【図１２】ハンドルアームを示すもので、（ａ）は破断正面図、（ｂ）は右側面図
【図１３】ハンドル取付部材を示すもので、（ａ）は平面図、（ｂ）は縦断正面図、（ｃ）は右側面図
【図１４】第１の従来構造を示すもので、（ａ）は握り部を巻取り位置に位置させた状態における破断正面図、（ｂ）は握り部を収納位置に倒した状態における破断正面図
【図１５】第２の従来構造を示すもので、（ａ）はハンドルを巻取り位置に位置させた状態における破断正面図、（ｂ）はハンドルを収納位置に位置させた状態における破断正面図
【図１６】第３の従来構造を示すもので、ハンドルを巻取り位置に位置させた状態における破断正面図
【図１７】第４の従来構造を示すもので、（ａ）はハンドルを収納位置に位置させた状態における破断側面図、（ｂ）はハンドルを巻取り位置に位置させた状態における破断側面図
【符号の説明】
【００３８】
図面中、３１は巻取り装置、３７は巻取りドラム、４０はハンドル取付軸、４０ａは先端面、４１はハンドル取付部材、４２はハンドル、４３は握り部、４４はホース（線条部材）、４５はトラバース機構、６０は雄ねじ、６１は雌ねじ、６２はねじ穴、６３はハンドル挿入孔、６４はハンドルアーム、６５は挿入部、６７は平坦面、６９はビス（抜止め部）を示す。
【図１】
2005067860.tif 000003
【図２】
2005067860.tif 000004
【図３】
2005067860.tif 000005
【図４】
2005067860.tif 000006
【図５】
2005067860.tif 000007
【図６】
2005067860.tif 000008
【図７】
2005067860.tif 000009
【図８】
2005067860.tif 000010
【図９】
2005067860.tif 000011
【図１０】
2005067860.tif 000012
【図１１】
2005067860.tif 000013
【図１２】
2005067860.tif 000014
【図１３】
2005067860.tif 000015
【図１４】
2005067860.tif 000016
【図１５】
2005067860.tif 000017
【図１６】
2005067860.tif 000018
【図１７】
2005067860.tif 000019